(57)【特許請求の範囲】
【請求項１】
前面に係止孔が列設された左右１対の支柱間に取り付けられる商品陳列棚におけるコルトンボックスの取付構造において、
内部に照明器具が収容され、かつ後面の左右両側端に、前記左右の支柱の係止孔に係合可能な係止爪を有する、前面が開放された内箱と、前面にコルトンパネルが装着され、かつ左右両側の後端に、前記左右の支柱の係止孔に係合可能な係止爪を有する後面が開放された外箱とを備え、前記内箱の係止爪を前記係止孔に係合させることにより該内箱を左右の支柱間に取り付けるとともに、前記外箱を、内箱の前方よりその少なくとも前面の開放部を覆うように被嵌し、後端の各係止爪を左右の支柱の係止孔に係合させることにより、該支柱間に取り付けたことを特徴とする商品陳列棚におけるコルトンボックスの取付構造。
【請求項２】
外箱の左右寸法を、左右の支柱の前面間の離間寸法とほぼ等しくして、その左右両側の後端に、支柱の係止孔と係合する係止爪を設けるとともに、外箱の左右寸法より小寸とした内箱の後面に、左右の支柱の前方まで突出する取付片を取付け、この取付片に、各支柱の係止孔に係合する係止爪を設けた請求項１記載の商品陳列棚におけるコルトンボックスの取付構造。
【請求項３】
外箱を、上面板と左右の側面板とを備える下面が開放された箱状とし、内箱の下面板により、前記外箱の下面の開放部を覆うようにしてなる請求項１または２記載の商品陳列棚におけるコルトンボックスの取付構造。
【請求項４】
内箱の下面を後ろ上方に向かって傾斜する傾斜面とし、その傾斜面の下方に形成される凹部内に、下面が開口する上向き凹状断面の反射板を設け、この反射板の凹部内に、下方の棚を照明する照明装置を取付けた請求項１〜３のいずれかに記載の商品陳列棚におけるコルトンボックスの取付構造。
【請求項５】
内箱の前端下部に、照明装置を覆いうる大きさの透光性の目隠し板を下向きに突設した請求項４記載の商品陳列棚におけるコルトンボックスの取付構造。
【発明の詳細な説明】
【０００１】
【発明の属する技術分野】
本発明は、商品陳列棚におけるコルトンボックスの取付構造に関する。
【０００２】
【従来の技術】
商品陳列棚の上部に、コルトンボックス、すなわち内部照明を有する前面が開口された箱体を取り付け、その前面に取り付けたコルトンパネルに、透光性フイルムからなるポスターなどを掲示し、商品の宣伝効果を高めるようにすることが行われている。その従来例としては、例えば特開平１１−１０９８６０号公報や特許第３１１４０９４号公報などに記載されているものがある。
【０００３】
【発明が解決しようとする課題】
上述した従来のコルトンボックスは、いずれも部品点数が多く、また、設置現場での組み立てが繁雑であり、さらには、照明器具やポスターフィルム等の交換にも手間がかかるものであった。
【０００４】
本発明は、上述の問題点に鑑み、設置現場での組み立てや、照明器具、ポスター、ポスターフィルムなどの交換等を容易に行いうるようにした、商品陳列棚におけるコルトンボックスの取付構造を提供することを目的としている。
【０００５】
【課題を解決するための手段】
本発明によると、上記課題は、次のようにして解決される。
（１）前面に係止孔が列設された左右１対の支柱間に取り付けられる商品陳列棚におけるコルトンボックスの取付構造において、内部に照明器具が収容され、かつ後面の左右両側端に、前記左右の支柱の係止孔に係合可能な係止爪を有する、前面が開放された内箱と、前面にコルトンパネルが装着され、かつ左右両側の後端に、前記左右の支柱の係止孔に係合可能な係止爪を有する後面が開放された外箱とを備え、前記内箱の係止爪を前記係止孔に係合させることにより該内箱を左右の支柱間に取り付けるとともに、前記外箱を、内箱の前方よりその少なくとも前面の開放部を覆うように被嵌し、後端の各係止爪を左右の支柱の係止孔に係合させることにより、該支柱間に取り付ける。
【０００６】
（２）上記(１)項において、外箱の左右寸法を、左右の支柱の前面間の離間寸法とほぼ等しくして、その左右両側の後端に、支柱の係止孔と係合する係止爪を設けるとともに、外箱の左右寸法より小寸とした内箱の後面に、左右の支柱の前方まで突出する取付片を取付け、この取付片に、各支柱の係止孔に係合する係止爪を設ける。
【０００７】
（３）上記(１)または(２)項において、外箱を、上面板と左右の側面板とを備える下面が開放された箱状とし、内箱の下面板により、前記外箱の下面の開放部を覆うようにする。
【０００８】
（４）上記(１)〜(３)のいずれかにおいて、内箱の下面を後ろ上方に向かって傾斜する傾斜面とし、その傾斜面の下方に形成される凹部内に、下面が開口する上向き凹状断面の反射板を設け、この反射板の凹部内に、下方の棚を照明する照明装置を取付ける。
【０００９】
（５）上記(４)項において、内箱の前端下部に、照明装置を覆いうる大きさの透光性の目隠し板を下向きに突設する。
【００１０】
【発明の実施の形態】
図１は、本発明を適用した商品陳列棚の上部の斜視図で、コルトンボックスを形成する外箱(１)の右半分を切除して、内部の内箱(２)と、その支柱(３)への取り付け状態が見えるようにした図である。
【００１１】
内箱(２)は、図２及び図４に示すように、前面(４)が大きく開放され、左右の垂直をなす側面板(５)(５)と、後方に向かうにしたがって内向きに傾斜する上面板(６)及び下面板(７)と、後面板(８)とにより、ほぼ方形箱状のボックス本体(９)を構成している。
【００１２】
後面板(８)の前面には、左右方向を向く上下２個の照明保持具(10)(10)が、ブラケット(11)により支持され、各照明保持具(10)には、直管型の蛍光灯(12)が水平に取り付けられている。
【００１３】
上記ボックス本体(９)の後面板(８)の裏面における左右両側部には、左右方向を向き、かつ両側面板(５)より側方に若干突出する上下２個の取付片(13)が固着され、それらの側端には、後向に直角に折曲された、下向き鉤状の上下２個の係止爪(14)(14)が突設されている。
【００１４】
図１に示すように、取付片(13)の突出長は、その係止爪(14)が、左右の支柱(３)の前面に列設された左右２列の係止孔(15)における例えば内方のものと整合して係合しうる寸法とされている。
【００１５】
内箱(２)は、その内部に蛍光灯(12)等が予め組み込まれ、かつ取付片(13)も取付けられてユニット化されている。
【００１６】
図１、図３及び図４に示すように、外箱(１)は、内箱(２)を余裕をもって覆いうる大きさの、後面が開放された箱状をなし、左右の支柱(３)の内方の係止孔(15)間とほぼ等しい寸法離間する左右の側面板(16)(16)と、上面板(17)（図３及び図４参照）と、コルトンパネル(18)を取り付けた前面板(19)とからなり、下面は大きく開放されている。
【００１７】
コルトンパネル(18)は、例えば透明なアクリル板(18a)の後面に、乳白色の半透明のアクリル板(18b)を重合したものよりなり、両アクリル板(18a)(18b)の間に適宜のコルトンフィルム（図示略）を挟めるようにされている。
【００１８】
コルトンパネル(18)は、前面板(19)の裏面の四隅部に突設された取付片(20)、押え金具(21)及び止めねじ(22)により、外箱(１)の内側から取り外し可能に取り付けられている。
【００１９】
外箱(１)の左右の側面板(16)における後端縁の上下部には、下向き鉤状の係止爪(23)が後向きに突設されている。上下の係止爪(23)の位置は、前述した内箱(２)の係止爪(14)とは上下方向に離れた位置に設けられており、係止爪(14)と同様、左右の支柱(３)の内方の係止孔(15)に係合される。
【００２０】
図１、図２、図４及び図５に示すように、内箱(２)の下面板(７)の直下には、左右寸法が内箱(２)の左右長とほぼ等長をなすとともに、長手方向の中央部が上向きに台形状に折曲された側面視ほぼハット状断面をなす反射板(24)が、その前端縁に形成された上向きの取付片(24a)を、内箱(２)の下面板(７)の前端縁に連設された下向きのフランジ片(7a)の後面に、ボルト(25)により固定することにより、取付けられている。
【００２１】
上記フランジ片(7a)の前面にはまた、例えば透明又は乳白色の半透明なアクリル板からなる目隠し板(26)の上端が、下方に垂下するようにボルト(25)により取り付けられている。
【００２２】
図４及び図５に示すように、反射板(24)の凹部(27)内には、直管状の蛍光灯(28)が、反射板(24)に固定された左右２個の支持具(29)により取付けられている。蛍光灯(28)の両端には、給電キャップ(30)が、固定部と離間して嵌合されている。
なお、反射板(24)の下面に、透光性もしくは半透明のカバーを取付けるようにしてもよい。
【００２３】
また、蛍光灯(28)は、反射板(24)を用いないで、内箱(２)における後ろ上方に傾斜する下面板(７)の下方の凹部内に設けることもある。
【００２４】
以上説明したように、上記実施形態のコルトンボックスにおいては、蛍光灯(12)等を予め取付けてユニット化した内箱(２)と外箱(１)とからなっているので、現地において内箱(２)をまず２本の支柱(３)間に取り付け、ついで、この内箱(２)の前方からこれを覆うように外箱(１)を支柱(３)に取り付けるだけの極めて簡単な作業で組立てることができる。
また、内箱(２)の直下にも蛍光灯(28)を設けてあるので、コルトンボックスの下方の陳列棚が効果的に照明される。
【００２５】
【発明の効果】
請求項１記載の発明によれば、内箱及び外箱を、それぞれ照明器具やコルトンパネル等を予め組付けた状態でユニット化しうるので、商品陳列棚を設置する現場で、コルトンボックスを極めて容易に組み立てることができる。また、照明器具の交換やコルトンフィルム等の取換作業を、外箱を取り外すだけで簡単に行うことができる。
【００２６】
請求項２記載の発明によれば、外箱、内箱の取り付けを、支柱に列設された棚取付用の係止孔をそのまま利用して行うことができる。
【００２７】
請求項３記載の発明によれば、外箱を取付ける際、内箱の下面板を外箱の開放面と整合させることにより、位置合わせの目安となり、外箱の取付けが容易となる。
【００２８】
請求項４記載の発明によれば、コルトンボックスの下方の陳列棚が効果的に照明されるので、陳列商品のディスプレイ効果が高まる。
【００２９】
請求項５記載の発明によれば、照明装置が前方より見えなくなるので見栄えが向上するとともに、目隠し板を掲示媒体としても利用することができる。
【図面の簡単な説明】
【図１】本発明の一部切欠き斜視図である。
【図２】同じく、内箱の斜視図である。
【図３】同じく、外箱の斜視図である。
【図４】同じく、コルトンボックスの拡大縦断側面図である。
【図５】同じく、コルトンボックスを斜め下方から見上げた拡大部分斜視図である。
【符号の説明】
(１)外箱
(２)内箱
(３)支柱
(４)前面板
(５)側面板
(６)上面板
(７)下面板
(7a)フランジ片
(８)後面板
(９)ボックス本体
(10)照明保持具
(11)ブラケット
(12)蛍光灯（照明器具）
(13)取付片
(14)係止爪
(15)係止孔
(16)側面板
(17)上面板
(18)コルトンパネル
(18a)(18b)アクリル板
(19)前面板
(20)取付片
(21)押え金具
(22)止めねじ
(23)係止爪
(24)反射板
(25)ボルト
(26)目隠し板
(27)凹部
(28)蛍光灯（照明装置）
(29)支持具（照明装置）
(30)給電キャップ（照明装置）
【図１】
0004031269.tif 000002
【図２】
0004031269.tif 000003
【図３】
0004031269.tif 000004
【図４】
0004031269.tif 000005
【図５】
0004031269.tif 000006